(57)【要約】【課題】所望の位置で容易に固定することができる可動間仕切壁およびこの可動間仕切壁の配置構造を提供する。【解決手段】間仕切壁本体５と、間仕切壁本体５の上端部に設けられたスライダ６と、間仕切壁本体５の下端部に設けられた移動体７と、間仕切壁本体５の上端部に設けられた第１弾性部材８と、間仕切壁本体５の下端部と床２との間に挿入される第２弾性部材９とを備えているので、間仕切壁本体５は、第１弾性部材８および第２弾性部材９によって挟み付けられた状態で、第１弾性部材８と天井３との摩擦力および第２弾性部材９と床２との摩擦力によって、天井３および床２に固定される。したがって、可動間仕切壁１を、レール１５に沿って水平方向に自由に移動させた後、所望の位置で容易に固定することができる。【選択図】図１
2009249815.tif 000002
【特許請求の範囲】
【請求項１】
床と天井との間に設けられる可動間仕切壁において、
前記床と天井との間の距離より上下の長さが短い間仕切壁本体と、
この間仕切壁本体の上端部に設けられて、前記天井に設けられたレールに水平方向に移動可能に、かつ上下動可能に係合されるスライダと、
前記間仕切壁本体の下端部に設けられて前記床上を水平方向に移動可能な移動体と、
前記間仕切壁本体の上端部に設けられて弾性的に圧縮可能な第１弾性部材と、
前記間仕切壁本体の下端部と前記床との間に挿入される弾性的に圧縮可能な第２弾性部材とを備え、
前記第２弾性部材が間仕切壁本体の下端部と前記床との間に挿入されることによって、前記間仕切壁本体が上昇して、前記第１弾性部材が圧縮された状態で前記天井に密接するとともに前記移動体が前記床から離間し、前記第２弾性部材が間仕切壁本体の下端部と前記床との間から取り出されることによって、前記間仕切壁本体が下降して、前記第１弾性部材が前記天井から離間するとともに、前記移動体が床に当接することを特徴とする可動間仕切壁。
【請求項２】
請求項１に記載の可動間仕切壁において、
前記第２弾性部材は、間仕切壁本体の下端面と前記床との間に挿入される挿入部と、この挿入部に一体的に形成され、前記間仕切壁本体の下端部側面を保護する保護部とを備えていることを特徴とする可動間仕切壁。
【請求項３】
床と天井との間に、請求項１または２に記載の複数の可動間仕切壁が設けられた可動間仕切壁の配置構造において、
前記天井に予めレールが設けられており、
前記レールに、前記可動間仕切壁のスライダが水平方向にレールに沿って移動可能に、かつ上下動可能に係合されていることを特徴とする可動間仕切壁の配置構造。
【請求項４】
請求項３に記載の可動間仕切壁の配置構造において、
少なくとも１枚の一方の可動間仕切壁と、残りの他方の可動間仕切壁とが平面視において直交して配置されており、
前記天井には、可動間仕切壁のスライダが係合するレールが、前記可動間仕切壁の厚さ方向と平行に配置されていることを特徴とする可動間仕切壁の配置構造。
【請求項５】
請求項４に記載の可動間仕切壁の配置構造において、
床と天井との間に、３枚の可動間仕切壁が設けられており、
２枚の可動間仕切壁は平面視において平行または一直線上に配置され、
残り１枚の可動間仕切壁は平面視において前記２枚の可動間仕切壁のうちの少なくもいずれか一方に直角に交わっていることを特徴とする可動間仕切壁の配置構造。
【発明の詳細な説明】
【技術分野】
【０００１】
本発明は、住宅の室内空間を仕切るための可動間仕切壁および可動間仕切壁の配置構造に関する。
【背景技術】
【０００２】
住宅の室内空間を仕切るための可動間仕切壁の一例として、特許文献１に記載のものが知られている。この可動間仕切壁は、天井面と床面との間に、水平方向に移動可能に設けられたものであり、可動間仕切壁の上端部には、天井面に設けられたガイドレールに係合してそのガイドレールに沿って移動可能とされたローラが設けられており、可動間仕切壁の下端部には、床面上を走行可能なキャスターが設けられている。
【特許文献１】特開２００７−２５５１１８号公報
【発明の開示】
【発明が解決しようとする課題】
【０００３】
ところで、上記のような従来の可動間仕切壁では、それをレールに沿って水平方向に自由に移動させることはできるが、移動後、可動間仕切壁を所望の位置で容易に固定することができなかった。すなわち、可動間仕切壁には、これを固定するための固定手段が設けられていないので、可動間仕切壁を所望の位置で固定するには、可動間仕切壁の上端部と下端部とのうちの少なくともいずれか一方を、天井や床に別途固定手段によって固定しなければならなかった。
【０００４】
本発明は上記事情に鑑みてなされたもので、所望の位置で容易に固定することができる可動間仕切壁およびこの可動間仕切壁の配置構造を提供することを課題としている。
【課題を解決するための手段】
【０００５】
上記課題を解決するために、請求項１に記載の発明は、例えば図１〜図３に示すように、床２と天井３との間に設けられる可動間仕切壁１において、
前記床２と天井３との間の距離より上下の長さが短い間仕切壁本体５と、
この間仕切壁本体５の上端部に設けられて、前記天井３に設けられたレール１５に水平方向に移動可能に、かつ上下動可能に係合されるスライダ６と、
前記間仕切壁本体５の下端部に設けられて前記床２上を水平方向に移動可能な移動体７と、
前記間仕切壁本体５の上端部に設けられて弾性的に圧縮可能な第１弾性部材８と、
前記間仕切壁本体５の下端部と前記床２との間に挿入される弾性的に圧縮可能な第２弾性部材９とを備え、
前記第２弾性部材９が間仕切壁本体５の下端部と前記床２との間に挿入されることによって、前記間仕切壁本体５が上昇して、前記第１弾性部材８が圧縮された状態で前記天井３に密接するとともに前記移動体７が前記床２から離間し、前記第２弾性部材９が間仕切壁本体５の下端部と前記床２との間から取り出されることによって、前記間仕切壁本体５が下降して、前記第１弾性部材８が前記天井３から離間するとともに、前記移動体７が床２に当接することを特徴とする。
【０００６】
請求項１に記載の発明によれば、間仕切壁本体５の上端部に設けられたスライダ６が、天井３に設けられたレール１５に沿って水平方向に移動するとともに、間仕切壁本体５の下端部に設けられた移動体７が床２上を水平方向に移動することによって、可動間仕切壁１が水平方に容易に移動される。
そして、この可動間仕切壁１を所望の位置で固定する場合、前記第２弾性部材９が間仕切壁本体５の下端部と床２との間に挿入されることによって、前記間仕切壁本体５が上昇して、前記第１弾性部材８が圧縮された状態で前記天井３に密接するとともに前記移動体７が床２から離間する。この際、第２弾性部材９がその弾性復帰力によって間仕切壁本体５を上方に押圧し、第１弾性部材９がその弾性復帰力によって間仕切壁本体５を下方に押圧する。したがって、間仕切壁本体５は、第１弾性部材８および第２弾性部材９によって挟み付けられた状態で、第１弾性部材８と天井３との摩擦力および第２弾性部材９と床２との摩擦力によって、天井３および床２に固定される。したがって、可動間仕切壁１を、レール１５に沿って水平方向に自由に移動させた後、所望の位置で容易に固定することができる。
また、前記第２弾性部材９が間仕切壁本体５の下端部と前記床２との間から取り出されることによって、前記間仕切壁本体５が下降して、前記第１弾性部材８が前記天井３から離間するとともに、前記移動体７が床２に当接するので、可動間仕切壁１は固定が解除され、再び、レール１５に沿って水平方向に移動可能となる。
【０００７】
請求項２に記載の発明は、請求項１に記載の可動間仕切壁において、
前記第２弾性部材９は、間仕切壁本体５の下端面と前記床２との間に挿入される挿入部９ａと、この挿入部９ａに一体的に形成され、前記間仕切壁本体５の下端部側面を保護する保護部９ｂとを備えていることを特徴とする。
【０００８】
請求項２に記載の発明によれば、第２弾性部材９の保護部９ｂによって間仕切壁本体５の下端部側面を保護できるので、間仕切壁本体５の下端部側面の損傷等を防止できるとともに、間仕切壁本体５の移動時に間仕切壁本体５の下端部側面が損傷して場合に、この損傷した部分を保護部９ｂによって隠すことができる。
【０００９】
請求項３に記載の発明は、例えば図１、図２、図５等に示すように、床２と天井３との間に、請求項１または２に記載の複数の可動間仕切壁１（１ａ，１ｂ，１ｃ）が設けられた可動間仕切壁の配置構造において、
前記天井３に予めレール１５（１５ａ，１５ｂ，１５ｃ）が設けられており、
前記レール１５に、前記可動間仕切壁１（１ａ，１ｂ，１ｃ）のスライダ６が水平方向にレール１５に沿って移動可能に、かつ上下動可能に係合されていることを特徴とする。
【００１０】
請求項３に記載の発明によれば、天井３に予め設けられたレール１５（１５ａ，１５ｂ，１５ｃ）に、可動間仕切壁１（１ａ，１ｂ，１ｃ）のスライダ６が水平方向にレール１５（１５ａ，１５ｂ，１５ｃ）に沿って移動可能に設けられているので、この可動間仕切壁１（１ａ，１ｂ，１ｃ）をレール１５（１５ａ，１５ｂ，１５ｃ）の長さ方向の所望の位置まで、移動させることができる。
【００１１】
請求項４に記載の発明は、例えば図５〜図８に示すように、請求項３に記載の可動間仕切壁の配置構造において、
少なくとも１枚の一方の可動間仕切壁１ａ，１ｂと、残りの他方の可動間仕切壁１ｃとが平面視において直交して配置されており、
前記天井３には、可動間仕切壁１ａ，１ｂ，１ｃのスライダ６が係合するレール１５ａ，１５ｂ，１５ｃが、前記可動間仕切壁１ａ，１ｂ，１ｃの厚さ方向と平行に配置されていることを特徴とする。
【００１２】
請求項４に記載の発明によれば、互いに直交して配置された可動間仕切壁１ａ，１ｂ，１ｃを、レール１５ａ，１５ｂ，１５ｃに沿って移動させることによって、可動間仕切壁１ａ，１ｂ，１ｃをその厚さ方向に移動させることができる。したがって、可動間仕切壁１ａ，１ｂ，１ｃの配置の自由度が高くなる。
【００１３】
請求項５に記載の発明は、請求項４に記載の可動間仕切壁の配置構造において、
３枚の可動間仕切壁１ａ，１ｂ，１ｃが設けられており、
２枚の可動間仕切壁１ａ，１ｂは平面視において平行または一直線上に配置され、
残り１枚の可動間仕切壁１ｃは平面視において前記２枚の可動間仕切壁１ａ，１ｂのうちの少なくもいずれか一方に直角に交わっていることを特徴とする。
【００１４】
請求項５に記載の発明によれば、可動間仕切壁１ａ，１ｂ，１ｃによって少なくとも一つの直角な角部が形成されるので、この角部を利用して部屋をさまざまな態様で仕切ることができる。
【発明の効果】
【００１５】
本発明によれば、第２弾性部材が間仕切壁本体の下端部と床との間に挿入されることによって、間仕切壁本体が上昇して、第１弾性部材が圧縮された状態で天井に密接するとともに移動体が床から離間する。この際、第２弾性部材がその弾性復帰力によって間仕切壁本体を上方に押圧し、第１弾性部材がその弾性復帰力によって間仕切壁本体を下方に押圧する。したがって、間仕切壁本体は、第１および第２弾性部材によって挟み付けられた状態で、第１弾性部材と天井との摩擦力および第２弾性部材と床との摩擦力によって、天井および床に固定される。したがって、可動間仕切壁を、レールに沿って水平方向に自由に移動させた後、所望の位置で容易に固定することができる。
また、第２弾性部材が間仕切壁本体の下端部と床との間から取り出されることによって、間仕切壁本体が下降して記第１弾性部材が天井から離間するとともに、移動体が床に当接するので、可動間仕切壁は固定が解除され、再び、レールに沿って水平方向に移動可能となる。
【発明を実施するための最良の形態】
【００１６】
以下図面を参照して本発明の実施の形態について説明する。
図１〜図３は、本発明に係る可動間仕切壁を示すもので、図１は可動間仕切壁を固定した状態を示す断面図、図２は可動間仕切壁の移動時の断面図、図３は可動間仕切壁の斜視図である。
【００１７】
図１〜図３に示すように、可動間仕切壁１は、床２と天井３との間に設けられるものであり、間仕切壁本体５、スライダ６、移動体７、第１弾性部材８、第２弾性部材９等を備えている。
間仕切壁本体５は、上下方向の長さが床２と天井３との間の距離より短いものであり、木質の壁パネル１０と、この壁パネル１０の両側面に取り付けられた石膏ボード１１，１１と、石膏ボード１１の下端部に、石膏ボード１１の幅方向（図１において紙面と直交する方向）に延在して取り付けられた巾木１２と、石膏ボード１１の下面と壁パネルの下面に、壁パネル１０の幅方向（図１において紙面と直交する方向）に延在して取り付けられ、前記巾木１２と直交する底板１３とから構成されている。なお、石膏ボード１１の表面には、図示しない壁紙が石膏ボード１１の上端と巾木１１の上端との間に貼り付けられている。
【００１８】
間仕切壁本体５を構成する壁パネル１０の上端部には、断面Ｔ字型のＴ型金物１４が設けられている。このＴ型金物１４は、壁パネル１０の上端面に固定された固定板１４ａと、この固定板１４ａの幅方向中央部に直角に立設された前記スライダ６とから構成されている。また、Ｔ型金物１４は、壁パネル１０の幅方向（図１において紙面と直交する方向）に延在しており、固定板１４ａの幅は、壁パネル１０の厚さと等しくなっており、固定板１４ａの長さは壁パネル１０の幅と等しくなっている。また、スライダ６は長方形板状に形成されており、その厚さは後述するレール１５の凹溝１５ａの溝幅より若干小さめに設定されている。
天井３の所定部位には、レール１５が設けられている。このレール１５は断面コ字型に形成されたものであり、その内側の凹溝１５ａの先端開口面を天井３の表面と面一にして設けられている。
レール１５の凹溝１５ａには、スライダ６が水平方向（図１において紙面と直交する方向）に移動可能に、かつ上下動可能に係合されている。
【００１９】
前記移動体７は、間仕切壁本体５を構成する壁パネル１０の下端部に設けられて床２上を移動可能な球状のものである。壁パネル１０の下端面には、ホルダ１６が埋設されており、このホルダ１６に球状の移動体７が回転自在にはめ込まれており、この移動体７の下部は間仕切壁本体５の下面より下方に突出している。
なお、ホルダ１６は、壁パネル１０の下端面に、少なくとも一つ埋設されている。例えば壁パネル１０の幅方向両端部において、下端面にそれぞれホルダ１６，１６が埋設されており、各ホルダ１６に移動体７がはめ込まれている。
このような移動体７を備えた可動間仕切壁１は、レール１５（の延在方向）に沿って床上を転がって移動可能である。
【００２０】
前記第１弾性部材８は、間仕切壁本体５を構成する壁パネル１０の上端面に固定された固定板１４ａの上面に設けられている。第１弾性部材８は断面矩形状に形成され、かつ、固定板１４ａの長さ方向（図１において紙面と直交する方向）に延在するものであり、弾性的に圧縮可能なゴム等によって形成されている。また、第１弾性部材８は固定板１４ａの上面に、スライダ６を挟んで、２つ設けられている。
【００２１】
第２弾性部材９は、間仕切壁本体５の下端部と床２との間に挿入される弾性的に圧縮可能なゴムによって形成されている。また、第２弾性部材９は、間仕切壁本体５の幅方向（図１において紙面と直交する方向）に延在する断面Ｌ字型のものであり、間仕切壁本体５の下端面と床２との間に挿入される挿入部９ａと、この挿入部９ａに一体的に形成され、間仕切壁本体５の下端部側面を保護する保護部９ｂとを備えている。
前記挿入部９ａは間仕切壁本体５の下端面に固定された底板１３に当接されており、保護部９ｂは間仕切壁本体５の下端部側面に固定された巾木１２に当接されている。保護部９ｂの上端部には内側に突出する突部９ｃが形成されており、この突部９ｃは巾木１２の上端面に当接されている。なお、第２弾性部材９は二つ設けられており、これら二つの第２弾性部材９，９は、それぞれ間仕切壁本体５の両側面側において、間仕切壁本体５の下端部と床２との間に挿入されるようになっている。
また、間仕切壁本体５の下端部と床２との間に第２弾性部材９，９を挿入した状態において、前記移動体７は床２から上方に離間している。
【００２２】
そして、上記のような構成の可動間仕切壁１では、図１に示すように、第２弾性部材９，９が間仕切壁本体５の下端部と床２との間に挿入されることによって、間仕切壁本体５が上昇して、第１弾性部材８，８が圧縮された状態で天井３に密接するとともに移動体７が床から離間するようになっており、また、図２に示すように、第２弾性部材９，９が間仕切壁本体５の下端部と床２との間から取り出されることによって、間仕切壁本体５が下降して、第１弾性部材８，８が天井３から離間するとともに、移動体７が床２に当接するようになっている。
【００２３】
このような可動間仕切壁１によれば、間仕切壁本体５の上端部に設けられたスライダ６が、天井３に設けられたレール１５に沿って水平方向に移動するとともに、間仕切壁本体５の下端部に設けられた移動体７が床２上を水平方向に移動することによって、可動間仕切壁１が水平方に容易に移動される。
そして、この可動間仕切壁１を所望の位置で固定する場合、第２弾性部材９が間仕切壁本体５の下端部と床２との間に挿入されることによって、間仕切壁本体５が上昇して、第１弾性部材８が圧縮された状態で天井３に密接するとともに移動体７が床から離間する。この際、第２弾性部材９がその弾性復帰力によって間仕切壁本体５を上方に押圧し、第１弾性部材８がその弾性復帰力によって間仕切壁本体５を下方に押圧する。したがって、間仕切壁本体５は、第１弾性部材８および第２弾性部材９によって挟み付けられた状態で、第１弾性部材８と天井３との摩擦力および第２弾性部材９と床２との摩擦力によって、天井３および床２に固定される。したがって、可動間仕切壁１を、レール１５に沿って水平方向に自由に移動させた後、所望の位置で容易に固定することができる。
また、第２弾性部材９が間仕切壁本体５の下端部と床２との間から取り出されることによって、間仕切壁本体５が下降して、第１弾性部材８が天井２から離間するとともに、移動体７が床２に当接するので、可動間仕切壁１は固定が解除され、再び、レール１５に沿って水平方向に移動可能となる。
【００２４】
また、挿入部９の保護部９ｂによって間仕切壁本体５の下端部側面を保護できるので、間仕切壁本体５の下端部側面の損傷等を防止できるとともに、間仕切壁本体５の移動時に間仕切壁本体５の下端部側面が損傷して場合に、この損傷した部分を保護部９ｂによって隠すことができる。
【００２５】
図４は、本発明に係る可動間仕切壁の他の例を示すものである。図４に示す可動間仕切壁１が、図１〜図３に示した可動間仕切壁１と異なる点は、Ｔ型金物の構成、第１弾性部材の構成であるので、以下ではこれらＴ型金物の構成、第１弾性部材の構成について説明し、図１〜図３に示した可動間仕切壁１と同一構成部分には、同一符号を付してその説明を簡略化もしくは省略する。
【００２６】
間仕切壁本体５を構成する壁パネル１０の上端部には、断面Ｔ字型の２つのＴ型金物２４，２４が左右（間仕切壁本体５の幅方向）に離間して設けられている。Ｔ型金物２４は、前記Ｔ型金物１４より短くかつ、このＴ型金物１４と向きを直角に変更して配置したものである。Ｔ型金物２４の長さは、壁パネル１０の厚さと等しくなっている。
Ｔ型金物２４は、壁パネル１０の上端面に固定された固定板２４ａと、この固定板２４ａの幅方向中央部に直角に立設されたスライダ２６とから構成されている。
なお、図示は省略するが、天井の所定部位には、２つのレールが離間して互いに平行に設けられており、これらレールのそれぞれの凹溝に、スライダがそれぞれ水平方向に移動可能に、かつ上下動可能に係合されている。
つまり、この例では可動間仕切壁１がその厚さ方向に移動可能となっている。また、間仕切壁本体５の下端面には、移動体７が前記と同様にして設けられている。この移動体７は球状のものであるので、可動間仕切壁１の厚さ方向にも移動可能である。
なお、図１〜図３に示した可動間仕切壁１は、その幅方向に移動可能となっている。
【００２７】
前記Ｔ型金物２４の固定板２４ａの上面には、第１弾性部材１８がスライダ２６を挟んで、２つ設けられている。この第１弾性部材１８も、前記第１弾性部材８と同様に、断面矩形状に形成されており、弾性的に圧縮可能なゴム等によって形成されている。
このような構成の可動間仕切壁１では、図１〜図３に示した可動間仕切壁１と同様の作用効果を得ることができる。
【００２８】
次に、アパートの一住戸の床と天井との間に、図４に示す可動間仕切壁１を複数配置した配置構造について説明する。
図５に示すように、住戸においては、南側の部分が居室３１となっており、北側の部分が水回り３２と玄関３３になっている。
【００２９】
水回り３２は、西側において南北に隣接配置された洗面室３４と浴室３５および東側において南北に隣接配置された台所３６とトイレ３７を備えている。
そして、浴室３４と台所３２との境界、この境界の端部から居室３１側に延長した部位、浴室３４と居室３１との境界に、それぞれ前記可動間仕切壁１が合計で３枚配置されている。
これら３枚の可動間仕切壁１・・・をそれぞれ可動間仕切壁１ａ，１ｂ，１ｃとすると、可動間仕切１ａは浴室３４と台所３２との境界に配置されており、可動間仕切壁１ａの一方の端部は柱３８に当接されている。可動間仕切壁１ｂは可動間仕切壁１ａの他方の端部から居室３１側に延長した部位に配置されており、可動間仕切壁１ｃは浴室３４と居室３１との境界に配置されている。
【００３０】
浴室３４と居室３１との境界には、固定的な間仕切壁４０が配置されており、この間仕切壁４０と可動間仕切壁１ｃとが一直線上に配置されるとともに、これら間仕切壁４０と可動間仕切壁１ｃとは対向する端部が突き当てられている。
可動間仕切壁１ａ，１ｂは平行かつ一直線上に配置されており、可動間仕切壁１ｃは可動間仕切壁１ａに直角に交わっている。したがって、これら可動間仕切壁１ａ，１ｂ，１ｃは平面視において、略Ｔ字型に配置されている。
なお、可動間仕切壁１ｃの端部と、居室３１の壁４１との間には、アコーディオンカーテン４２が設けられている。そして、間仕切壁４０、可動間仕切壁１ｃ、可動間仕切壁１ｂ、アコーディオンカーテン４２で囲まれた部分が、収納所４３となっている。
【００３１】
前記可動間仕切壁１ａの上方の天井には、レール１５ａ，１５ａが互いに平行に、かつ、可動間仕切壁１ａの厚さ方向と平行に前記間仕切壁４０の端部近傍まで延在して配置されている。
可動間仕切壁１ｂの上方の天井には、レール１５ｂ，１５ｂが互いに平行に、かつ、可動間仕切壁１ｂの厚さ方向と平行に前記壁４１の近傍まで延在して配置されている。
可動間仕切壁１ｃの上方の天井には、レール１５ｃ，１５ｃが互いに平行に、かつ、可動間仕切壁１ｃの厚さ方向と平行に前記柱３８の近傍まで延在して配置されている。
前記レール１５ａ，１５ｂ，１５ｃは、前記レール１５と同様の構成となっており、天井に予め設けられている。
そして、レール１５ａ，１５ｂ，１５ｃの凹溝には、それぞれ可動間仕切壁１ａ，１ｂ，１ｃのそれぞれのスライダ６が水平方向にレール１５ａ，１５ｂ，１５ｃ（の延在方向）に沿って移動可能に、かつ上下動可能に係合されている。
【００３２】
図５に示すような可動間仕切壁１ａ，１ｂ，１ｃが配置された住戸では、図６、図７、図８にそれぞれ示すように、可動間仕切壁１ａ，１ｂ，１ｃの配置構造を変更できる。
まず、図６に示すような可動間仕切壁１ａ，１ｂ，１ｃの配置構造にするには、可動間仕切壁１ｂの固定を解除して、この可動間仕切壁１ｂをレール１５ｂ，１５ｂに沿って可動間仕切壁１ｃの端部まで移動させ、この位置で再び固定することによって行える。
このように可動間仕切壁１ｂを移動させることによって、収納所４３の幅が小さくなるが、その分、可動間仕切壁１ｂと可動間仕切壁１ｃの前方に、新たに空間を形成でき、この空間に、小テーブル等を設置して該空間を有効に利用できる。なお、可動間仕切壁１ｂを移動させるに伴って、アコーディオンカーテン４２は縮むようにしてその幅を狭くできるので、可動間仕切壁１ｂの移動をアコーディオンカーテン４２を取り付けたままでスムーズに行える。
【００３３】
図７に示すような可動間仕切壁１ａ，１ｂ，１ｃの配置構造にするには、可動間仕切壁１ｂの固定を解除して、この可動間仕切壁１ｂをレール１５ｂ，１５ｂに沿って壁４１に当接するまで移動させ、この位置で再び固定することによって行える。
このように可動間仕切壁１ｂを移動させることによって、収納所４３は無くなるが、その分、可動間仕切壁１ｂと、間仕切壁４０および可動間仕切壁１ｃの前方に、新たに大きな空間を形成でき、この空間に勉強机等を設置して該空間を有効に利用できる。なお、可動間仕切壁１ｂを移動させる場合はアコーディオンカーテン４２は取り外す。
【００３４】
図８に示すような可動間仕切壁１ａ，１ｂ，１ｃの配置構造にするには、可動間仕切壁１ａ，１ｂ，１ｃの固定を解除し、可動間仕切壁１ｃをレール１５ｃ，１５ｃに沿って、可動間仕切壁１ａの端部が柱３８に当接するまで移動させてこの位置で再び固定し、可動間仕切壁１ａをレール１５ａ，１５ａに沿って、間仕切壁４０の端部に当接するまで移動させてこの位置で再び固定し、さらに、可動間仕切壁１ｂをレール１５ｂ，１５ｂに沿って壁４１に当接するまで移動させてこの位置で再び固定することによって行える。
このように可動間仕切壁１ａ，１ｂ，１ｃを移動させることによって、収納所４３が無くなるとともに洗面室３４が狭くなるが、その分、可動間仕切壁１ａ，１ｂ，１ｃの前方に、台所３６と連続した大きな空間を形成することができ、この空間にダイニングテーブル等を設置して該空間を有効に利用できる。なお、可動間仕切壁１ｂを移動させる場合はアコーディオンカーテン４２は取り外す。
【００３５】
以上のような可動間仕切壁の配置構造によれば、天井に予め設けられたレール１５ａ，１５ｂ，１５ｃに、可動間仕切壁１ａ，１ｂ，１ｃのスライダが水平方向にレール１５ａ，１５ｂ，１５ｃに沿って移動可能に設けられているので、この可動間仕切壁１ａ，１ｂ，１ｃをレール１５ａ，１５ｂ，１５ｃの長さ方向の所望の位置まで、移動させることができる。
したがって、住戸内を可動間仕切壁１ａ，１ｂ，１ｃによって比較的自由に仕切ることができる。
【００３６】
また、互いに直交して配置された可動間仕切壁１ａ，１ｃや可動間仕切壁１ｂ，１ｃを、レール１５ａ，１５ｃやレール１５ｂ，１５ｃに沿って移動させることによって、可動間仕切壁１ａ，１ｂ，１ｃをその厚さ方向に移動させることができる。したがって、可動間仕切壁１ａ，１ｂ，１ｃの配置の自由度が高くなる。
さらに、可動間仕切壁１ａ，１ｂ，１ｃによって少なくとも一つの直角な角部が形成されるので、この角部を利用して住戸の部屋を、図５〜図８に示すようになさまざまな態様で仕切ることができる。
【図面の簡単な説明】
【００３７】
【図１】本発明に係る可動間仕切壁の一例を示すもので、可動間仕切壁を固定した状態を示す断面図である。図２は可動間仕切壁の移動時の断面図、図３は可動間仕切壁の斜視図である。
【図２】同、可動間仕切壁の移動時の断面図である。
【図３】同、可動間仕切壁の斜視図である。
【図４】本発明に係る可動間仕切壁の他の例を示すもので、可動間仕切壁の斜視図である。
【図５】本発明に係る可動間仕切壁の配置構造の第１例を示すもので、（ａ）は可動間仕切壁の配置構造を備えた住戸の平面図、（ｂ）は可動間仕切壁の配置構造の平面図である。
【図６】本発明に係る可動間仕切壁の配置構造の第２例を示すもので、（ａ）は可動間仕切壁の配置構造を備えた住戸の平面図、（ｂ）は可動間仕切壁の配置構造の平面図である。
【図７】本発明に係る可動間仕切壁の配置構造の第３例を示すもので、（ａ）は可動間仕切壁の配置構造を備えた住戸の平面図、（ｂ）は可動間仕切壁の配置構造の平面図である。
【図８】本発明に係る可動間仕切壁の配置構造の第４例を示すもので、（ａ）は可動間仕切壁の配置構造を備えた住戸の平面図、（ｂ）は可動間仕切壁の配置構造の平面図である。
【符号の説明】
【００３８】
１  可動間仕切壁
２  床
３  天井
５  間仕切壁本体
６，２６  スライダ
７  移動体
８，１８  第１弾性部材
９  第２弾性部材
９ａ  挿入部
９ｂ  保護部
１５，１５ａ，１５ｂ，１５ｃ  レール
【図１】
2009249815.tif 000003
【図２】
2009249815.tif 000004
【図３】
2009249815.tif 000005
【図４】
2009249815.tif 000006
【図５】
2009249815.tif 000007
【図６】
2009249815.tif 000008
【図７】
2009249815.tif 000009
【図８】
2009249815.tif 000010